(57)【特許請求の範囲】
【請求項１】
吸気口および排気口を設けた空気清浄機本体を有し、この前記空気清浄機本体の隣合う２面を床設置面とし、残りの面に吸気口、排気口を設け、前記空気清浄機本体内に、空気浄化部と、この空気浄化部に空気を通過させるファンとを設け、残りの面で、前記吸気口、前記排気口を設けた面を除く面を天井面とし、前記残りの面の少なくとも１面を曲面とし、前記曲面とした面に前記排気口を設け、前記床設置面に清浄機本体取付部を設け、床面に設置する場合は、前記床設置面のいずれかに床設置部を取り付け、壁掛け用として壁面に設置する場合は、前記床設置面に壁面取付部を取り付ける空気清浄機。
【発明の詳細な説明】
【０００１】
【発明の属する技術分野】
本発明は、室内の汚れた空気を吸い込み、浄化して再度室内に循環させる空気清浄機に関するものである。
【０００２】
【従来の技術】
従来、この種の空気清浄機は、図１２〜図１４に示すように構成していた。以下、その構成について説明する。
【０００３】
図１２〜図１４に示すように、空気清浄機本体１は、吸気口２と排気口３を有し、内部に隔壁４を設け、この隔壁４の後部に渦室５を設けている。この渦室５は、モータ６とファン７からなる電動送風機を囲み、排気口３へ向けて開口している。隔壁４の前面に吸い込み口８とリブ９を設けており、リブ９はその前面に配置したフィルター１０を支持している。吸い込み口８は空気清浄機本体１内の電動送風機と連通している。
【０００４】
切り替えスイッチ部１１は、内部に制御回路部を有し、この切り替えスイッチ部１１により運転操作することができる。
【０００５】
上記構成において、切り替えスイッチ部１１により電動送風機を回転させると、吸気口２より室内の空気が吸い込まれる。吸引された空気流はフィルター１０を通り、空気が浄化されて排気口３から排気される。
【０００６】
【発明が解決しようとする課題】
このような従来の構成では、空気清浄機本体１の側面に吸気口２を設けるとともに上面に排気口３を設け、底面を床設置面として設置して室内の空気を浄化するよう構成している。
【０００７】
このため、室内の調度品がどのような配置であっても、空気清浄機本体１は、側面に吸気口２があり、上面に排気口３がある状態でしか配置することができず、調度品の配置など室内の状況に合わせて設置することができず、室内の汚れた空気を吸い込み、空気清浄機本体１内で浄化した空気を室内に万遍なく排出することができないという問題を有していた。
【０００８】
また、空気清浄機本体１を壁面にかけて、いわゆる壁掛け用空気清浄機として使用する場合には、上面に排気口３がある状態、または上下反転させて下面に排気口３がある状態で設置することになり、空気清浄機本体１内で浄化した空気を室内に万遍なく排出することができないという問題を有していた。
【０００９】
本発明は上記従来の課題を解決するもので、床面に設置するとき室内の状況に合わせて吸気口と排気口の位置関係を変えて設置して、浄化した空気を室内に万遍なく排出できるようにし、壁掛け用空気清浄機として使用する場合にも、浄化した空気を室内に万遍なく排出できるようにして、空気清浄性能を向上するとともに、インテリア性を向上することを目的としている。
【００１０】
【課題を解決するための手段】
本発明は上記目的を達成するために、吸気口および排気口を設けた空気清浄機本体を有し、この前記空気清浄機本体の隣合う２面を床設置面とし、残りの面に吸気口、排気口を設け、前記空気清浄機本体内に、空気浄化部と、この空気浄化部に空気を通過させるファンとを設け、残りの面で、前記吸気口、前記排気口を設けた面を除く面を天井面とし、前記残りの面の少なくとも１面を曲面とし、前記曲面とした面に前記排気口を設け、前記床設置面に清浄機本体取付部を設け、床面に設置する場合は、前記床設置面のいずれかに床設置部を取り付け、壁掛け用として壁面に設置する場合は、前記床設置面に壁面取付部を取り付ける空気清浄機としたものである。
【００１１】
これにより、床面に設置するとき室内の状況に合わせて、吸気口と排気口の位置関係を変えて設置することができ、浄化した空気を室内に万遍なく排出できるとともに、壁掛け用空気清浄機として使用する場合にも、浄化した空気を室内に万遍なく排出することができて、空気清浄性能を向上できるとともに、インテリア性を向上することができる。空気清浄機本体は、床設置面のいずれかにより床面に設置する場合と、壁掛け用として壁面に設置する場合との２通りの設置ができるように構成しており、床面に設置する場合は、床設置面のいずれかに床設置部を取り付け、壁掛け用として壁面に設置する場合は、壁面取付部を取り付けるようにしている。床面に設置する場合、空気清浄機本体の左側に壁面がある場合は、床設置面に床設置部を取り付けることにより、吸気口と排気口が室内に対向するように設置でき、室内の汚れた空気を吸い込み、空気清浄機本体内で浄化した空気を排気口より室内に万遍なく排出することができる。また、壁掛け用として壁面に設置する場合は、床設置面に壁面取付部を取り付け、部屋の上部コーナー部に固定した固定金具に壁面取付部を引っかけることにより、隣合う床設置面により部屋の上部コーナー部に強固に取り付けることができ、吸気口より室内の汚れた空気を吸い込み、空気清浄機本体内で浄化した空気を排気口より室内に万遍なく排出することができて、空気清浄性能を向上できるとともに、インテリア性を向上することができる。
【００１９】
【発明の実施の形態】
本発明の請求項１に記載の発明は、吸気口および排気口を設けた空気清浄機本体を有し、この前記空気清浄機本体の隣合う２面を床設置面とし、残りの面に吸気口、排気口を設け、前記空気清浄機本体内に、空気浄化部と、この空気浄化部に空気を通過させるファンとを設け、残りの面で、前記吸気口、前記排気口を設けた面を除く面を天井面とし、前記残りの面の少なくとも１面を曲面とし、前記曲面とした面に前記排気口を設け、前記床設置面に清浄機本体取付部を設け、床面に設置する場合は、前記床設置面のいずれかに床設置部を取り付け、壁掛け用として壁面に設置する場合は、前記床設置面に壁面取付部を取り付ける空気清浄機としたもので、床設置面に清浄機本体取付部を設けたものであり、壁掛け用空気清浄機として使用する場合に、床設置面に設けた清浄機本体取付部により部屋の上部コーナー部に強固に取り付けることができ、吸気口より室内の汚れた空気を吸い込み、空気清浄機本体内で浄化した空気を排気口より室内に万遍なく排出することができて、空気清浄性能を向上できるとともに、インテリア性を向上することができる。
【００３０】
【実施例】
以下、本発明の実施例について、図面を参照しながら説明する。
【００３１】
（実施例１）
図１に示すように、空気清浄機本体１２は、隣合う２面を床設置面１３、１４とし、残りの面に吸気口１５を設けるとともに、残りの面の１面を曲面１６とし、この曲面１６とした面に排気口１７を設けている。また、残りの面で、吸気口１５、排気口１７を設けた面を除く面を天井面１８としている。
【００３２】
この天井面１８は、２つの床設置面１３、１４と交差する面とし、この天井面１８は、交わり合う２直線１９、２０と、２直線２１、２２と交わり合う曲線２３を有する線とで囲まれる形状としている。
【００３３】
空気清浄機本体１２の内部には、図２に示すように、吸気口１５に対向してフィルター（空気浄化部）２４を着脱自在に設け、このフィルター２４に空気を通過させる遠心ファン２５を回転自在に設け、遠心ファン２５をモータ２６により駆動して、吸気口１５より室内の汚れた空気を吸い込み、フィルター２４を通過させて空気中の塵埃または臭いを除去して浄化し、排気口１７より浄化した空気を排出するようにしている。
【００３４】
遠心ファン２５は、図３に示すように、渦室２７内に回転自在に収容し、この遠心ファン２５をモータ２６により回転させて排気通路３０より排気するように構成している。渦室２７は、複数の隔壁２８ａ〜２８ｄにより形成し、隔壁２８ａ〜２８ｃの一端側にトング部２９ａ〜２９ｃを形成している。
【００３５】
また、隔壁２８ａの他端側と隣合う隔壁２８ｂの一端側とにより排気通路３０ａを形成し、隔壁２８ｂの他端側と隣合う隔壁２８ｃの一端側とにより排気通路３０ｂを形成し、排気通路３０ａ、３０ｂを通して、排気通路３０とともに排気口１７に臨ませている。排気案内部３１ａ〜３１ｄは渦室２７からの排気方向を規制し、排気口１７よりほぼ均一に排気できるようにするものである。
【００３６】
空気清浄機本体１２は、床設置面１３、１４のいずれかにより床面に設置する場合と、壁掛け用として壁面に設置する場合との２通りの設置ができるように構成しており、床面に設置する場合は、図４に示すように、床設置面１３、１４のいずれかに床設置部３２を取り付け、壁掛け用として壁面に設置する場合は、図５に示すように、壁面取付部３３を取り付けるようにしている。
【００３７】
上記構成において、床面に設置する場合、空気清浄機本体１２の左側に壁面がある場合は、図６（ａ）に示すように、床設置面１４に床設置部３２を取り付けることにより、吸気口１５と排気口１７が室内に対向するように設置でき、室内の汚れた空気を吸い込み、空気清浄機本体１２内で浄化した空気を排気口１７より室内に万遍なく排出することができる。
【００３８】
また、空気清浄機本体１２の右側に壁面がある場合は、図６（ｂ）に示すように、床設置面１３に床設置部３２を取り付けることにより、吸気口１５と排気口１７が室内に対向するように設置でき、上記と同様に、室内の汚れた空気を吸い込み、空気清浄機本体１２内で浄化した空気を排気口１７より室内に万遍なく排出することができて、空気清浄性能を向上できるとともに、インテリア性を向上することができる。
【００３９】
また、壁掛け用として壁面に設置する場合は、床設置面１３、１４に壁面取付部３３を取り付け、図７に示すように、部屋の上部コーナー部に固定した固定金具３４に壁面取付部３３を引っかけることにより、隣合う床設置面１３、１４により部屋の上部コーナー部に取り付けることができ、吸気口１５より室内の汚れた空気を吸い込み、空気清浄機本体１２内で浄化した空気を排気口１７より室内に万遍なく排出することができて、空気清浄性能を向上できるとともに、インテリア性を向上することができる。
【００４０】
また、空気清浄機本体１２の内部に、吸気口１５に対向してフィルター２４を着脱自在に設け、このフィルター２４に空気を通過させる遠心ファン２５を回転自在に設けているので、遠心ファン２５を回転させることにより室内の汚れた空気を吸い込み、フィルター２４を通過させて空気中の塵埃または臭いを除去して浄化し、浄化した空気を排出し、循環することができる。
【００４１】
ここで、遠心ファン２５を収容する渦室２７を複数の隔壁２８ａ〜２８ｅにより形成し、隔壁２８ａ〜２８ｃの一端側にトング部２９ａ〜２９ｃを形成し、他端側は隣合う隔壁の一端側のトング部より外周側に配設して排気通路３０を形成しているので、渦室２７内に収容した遠心ファン２５を回転させると、渦室２７を形成する隔壁２８ａ〜２８ｅに沿って空気が流れ、この空気の流れを複数に分割した隔壁２８ａ〜２８ｅの間から排気口１７に導出することができる。
【００４２】
このとき、隔壁２８ａ〜２８ｃの一端側に形成したトング部２９ａ〜２９ｃにより、隔壁２８ａ〜２８ｅに沿って流れる空気と、隔壁２８ａ〜２８ｅの間から排気口１７に導出される空気とに分離することができ、トング部２９ａ〜２９ｃで分離された空気を渦流などを発生することなく排気口１７に導出することができ、排気口１７より排出される風量を多くすることができる。また、排気案内部３１ｂ、３１ｃにより排気方向の広がりを規制し、排気口１７よりほぼ均一に排気することができる。
【００４３】
また、空気清浄機本体１２の１面を曲面１６としているので、壁掛け用空気清浄機として、隣合う２面の床設置面１３、１４により部屋の上部コーナー部に取り付けた状態で、曲面１６を室内に対向させることができ、インテリア性を向上することができる。また、この曲面１６に排気口１７を設けているので、浄化した空気を室内に広範囲に、かつ万遍なく排出することができ、空気清浄性能を向上することができる。
【００４４】
また、床設置面１３、１４、吸気口１５、排気口１７を設けた面を除く面を天井面１８とし、天井面１８を交わり合う２直線１９、２０と、２直線２１、２２と交わり合う曲線２３を有する線とで囲まれる形状としているので、交わり合う２直線１９、２０を有する側面を床設置面１３、１４として、壁掛け用空気清浄機として使用する場合に部屋の上部コーナー部に取り付けることができ、２直線２１、２２と交わり合う曲線２３を有する側面に排気口１７を設けることにより、空気清浄機本体１２内で浄化した空気を室内に広範囲に、かつ万遍なく排出できて、空気清浄性能を向上できるとともに、インテリア性を向上することができる。
【００４５】
また、２つの床設置面１３、１４と交差する面を天井面１８としているので、壁掛け用空気清浄機として使用する場合に、床設置面１３、１４により部屋の上部コーナー部に強固に取り付けることができる。
【００４６】
また、床面に設置する場合は、床設置面１３、１４のいずれかに床設置部３２を取り付け、壁掛け用として壁面に設置する場合は、壁面取付部３３を取り付けるようにしているので、床面に設置する場合は、室内の調度品の状態などに合わせて設置することができ、壁掛け用空気清浄機として使用する場合は、壁面取付部３３により部屋の上部コーナー部に強固に取り付けることができる。
【００４７】
なお、本実施例では、天井面１８を交わり合う２直線１９、２０と、２直線２１、２２と交わり合う曲線２３を有する線とで囲まれる形状としているが、略扇形としてもよく、この場合にも、略扇形の曲線を有する側面に排気口１７を設けることにより、空気清浄機本体１２内で浄化した空気を室内に広範囲に、かつ万遍なく排出できて、空気清浄性能を向上できるとともに、インテリア性を向上することができる。
【００４８】
（参考例１）図８に示すように、空気清浄機本体３５は、隣合う２面を床設置面３６、３７とし、残りの面に吸気口３８を設けるとともに、残りの面の１面を曲面３９とし、この曲面３９とした面に排気口４０を設けている。また、残りの面で、吸気口３８、排気口４０を設けた面を除く面を天井面４１としている。床設置面３６、３７が交差する部分に凹部４２を形成し、この凹部４２に電源コード４３を取り付けている。他の構成は上記実施例１と同じである。
【００４９】
上記構成において、床面に設置する場合は、図９に示すように、床設置面３６、３７のいずれかに床設置部３２を取り付けることにより、吸気口３８と排気口４０が室内に対向するように設置でき、室内の汚れた空気を吸い込み、空気清浄機本体３５内で浄化した空気を排気口４０より室内に万遍なく排出することができる。
【００５０】
また、壁掛け用として壁面に設置する場合は、図１０に示すように、壁面取付部３３を取り付け、部屋の上部コーナー部に固定した固定金具（図示せず）に壁面取付部３３を引っかけることにより、図１１に示すように、隣合う床設置面３６、３７により部屋の上部コーナー部に取り付けることができ、吸気口３８より室内の汚れた空気を吸い込み、空気清浄機本体３５内で浄化した空気を排気口４０より室内に万遍なく排出することができて、空気清浄性能を向上できるとともに、インテリア性を向上することができる。
【００５１】
このとき、部屋のコーナー部に柱などの建造物の突出部４４があっても、凹部４２によって床設置面３６、３７を壁面に密着させて取り付けることができ、また、この凹部４２に電源コード４３を取り付けることにより、空気清浄機本体３５により電源コードを隠すことができ、インテリア性を向上することができる。
【００５９】
【発明の効果】
以上のように本発明の請求項１に記載の発明によれば、吸気口および排気口を設けた空気清浄機本体を有し、この前記空気清浄機本体の隣合う２面を床設置面とし、残りの面に吸気口、排気口を設け、前記空気清浄機本体内に、空気浄化部と、この空気浄化部に空気を通過させるファンとを設け、残りの面で、前記吸気口、前記排気口を設けた面を除く面を天井面とし、前記残りの面の少なくとも１面を曲面とし、前記曲面とした面に前記排気口を設け、前記床設置面に清浄機本体取付部を設け、床面に設置する場合は、前記床設置面のいずれかに床設置部を取り付け、壁掛け用として壁面に設置する場合は、前記床設置面に壁面取付部を取り付ける空気清浄機としたものであり、空気清浄機本体は、床設置面のいずれかにより床面に設置する場合と、壁掛け用として壁面に設置する場合との２通りの設置ができるように構成しており、床面に設置する場合は、床設置面のいずれかに床設置部を取り付け、壁掛け用として壁面に設置する場合は、壁面取付部を取り付けるようにしているものであり、また、床面に設置する場合、空気清浄機本体の左側に壁面がある場合は、床設置面に床設置部を取り付けることにより、吸気口と排気口が室内に対向するように設置でき、室内の汚れた空気を吸い込み、空気清浄機本体内で浄化した空気を排気口より室内に万遍なく排出することができ、また、壁掛け用として壁面に設置する場合は、床設置面に壁面取付部を取り付け、部屋の上部コーナー部に固定した固定金具に壁面取付部を引っかけることにより、隣合う床設置面により部屋の上部コーナー部に強固に取り付けることができ、吸気口より室内の汚れた空気を吸い込み、空気清浄機本体内で浄化した空気を排気口より室内に万遍なく排出することができて、空気清浄性能を向上できるとともに、インテリア性を向上することができる。
【図面の簡単な説明】
【図１】（ａ）本発明の第１の実施例の空気清浄機の排気口側から見た斜視図
（ｂ）同空気清浄機の床設置面側から見た斜視図
【図２】同空気清浄機の断面図
【図３】同空気清浄機の要部分解斜視図
【図４】同空気清浄機の床設置部の取付状態を示す分解斜視図
【図５】同空気清浄機の壁面取付部の取付状態を示す分解斜視図
【図６】（ａ）同空気清浄機の床面設置状態の一例の斜視図
（ｂ）同空気清浄機の床面設置状態の他の例の斜視図
【図７】同空気清浄機の壁掛け設置状態の分解斜視図
【図８】（ａ）本発明の第１の参考例の空気清浄機の排気口側から見た斜視図
（ｂ）同空気清浄機の床設置面側から見た斜視図
【図９】同空気清浄機の床設置部の取付状態を示す分解斜視図
【図１０】同空気清浄機の壁面取付部の取付状態を示す分解斜視図
【図１１】同空気清浄機の壁掛け設置状態の斜視図
【図１２】従来の空気清浄機の斜視図
【図１３】同空気清浄機の断面図
【図１４】同空気清浄機のファンおよびその渦室を示す断面図
【符号の説明】
１２ 空気清浄機本体
１３ 床設置面
１４ 床設置面
１５ 吸気口
１７ 排気口
【図１】
0004329179.tif 000002
【図２】
0004329179.tif 000003
【図３】
0004329179.tif 000004
【図４】
0004329179.tif 000005
【図５】
0004329179.tif 000006
【図６】
0004329179.tif 000007
【図７】
0004329179.tif 000008
【図８】
0004329179.tif 000009
【図９】
0004329179.tif 000010
【図１０】
0004329179.tif 000011
【図１１】
0004329179.tif 000012
【図１２】
0004329179.tif 000013
【図１３】
0004329179.tif 000014
【図１４】
0004329179.tif 000015